(57)【特許請求の範囲】
【請求項１】
壁面上に固定されるベース部材と、当該ベース部材上に固定されるカバー部材と、を備え、ベース部材とカバー部材との間に配線の配索空間が形成される配線カバーを用いて平型配線を壁面に沿って配索してなる平型配線の壁面配索構造であって、
前記ベース部材は、長手方向に延設される相互に平行な一対の側壁部を備え、
前記配索空間は、平型配線を壁面と略平行な姿勢で収容する平行挿通部と、前記一対の側壁部によって挟まれる領域に形成され、配線カバーの幅方向中央部で平型配線の少なくとも一部を壁面と略垂直な姿勢で収容する垂直挿通部と、が略Ｔ字状断面をなすように接続されてなり、
前記配索空間内で平型配線を捻り、配線カバーの長手方向一方側の端部では平型配線の少なくとも一部が壁面と略垂直な姿勢で前記垂直挿通部内に収容され、配線カバーの長手方向他方側の端部では平型配線が壁面と略平行な姿勢で前記平行挿通部内に収容されるようにしたことを特徴とする平型配線の壁面配索構造。
【請求項２】
前記一対の側壁部に、前記垂直挿通部に収容された平型配線を挟み込んで係止する突条の係止部を設けたことを特徴とする請求項１に記載の平型配線の壁面配索構造。
【請求項３】
前記カバー部材は、前記一対の側壁部の両外側に嵌合されて、当該一対の側壁部の突端部外側を間隙をもって被覆し、
前記一対の側壁部の突端部と前記カバー部材の内面とで挟まれた領域を前記平行挿通部としたことを特徴とする請求項１または２に記載の平型配線の壁面配索構造。
【請求項４】
請求項１〜３のうちいずれか一つに記載の配線カバーを用いて平型配線を壁面に沿って配索する平型配線の壁面配索方法であって、
前記配索空間内で平型配線を捻り、配線カバーの長手方向一方側の端部では平型配線の少なくとも一部を壁面と略垂直な姿勢で前記垂直挿通部内に収容し、配線カバーの長手方向他方側の端部では平型配線を壁面と略平行な姿勢で前記平行挿通部内に収容するようにしたことを特徴とする平型配線の壁面配索方法。
【発明の詳細な説明】
【技術分野】
【０００１】
本発明は、配線を壁面に沿って被覆状態で配索するための配線カバーを用いた平型配線の壁面配索構造及び壁面配索方法に関する。
【背景技術】
【０００２】
従来、屋内で配線を配索する場合に、当該配線を被覆すべく、配線カバーを用いる場合がある（例えば特許文献１）。
【０００３】
特許文献１の配線カバーは、壁面（床面、天井面を含む）上に設けられる細長いベース部材と、ベース部材上を覆う断面略コ字状の細長いカバー体とを備えており、配線は、それらで囲まれて形成される配索空間内に配索される。
【０００４】
この配線カバーでは、ベース部材の上面に長手方向に沿って一対の側壁が延設され、これら一対の側壁にカバー体の両側壁が外嵌されている。さらに、ベース部材の側壁には、配線用の留め具を係合する係合部が設けられている。
【特許文献１】特開２００２−２９００７０号公報
【発明の開示】
【発明が解決しようとする課題】
【０００５】
上記従来の配線カバーでは、扁平な配索空間が形成されており、平型配線を壁面と略平行な姿勢で配索することができる。
【０００６】
しかしながら、平型配線は、一般に、幅広側に曲げる（すなわち幅広側の表面が反るように曲げる）のは比較的容易であるが、幅狭側に曲げる（すなわち幅狭側の表面が反るように曲げる）のは困難であるため、上記従来の配線カバーを壁面に沿って直角方向に屈折した状態で連設するような場合には、壁面に沿って略平行な姿勢のまま平型配線を曲げて配索するのが困難となり、平型配線や配線カバーに無理な力が作用したり、配索自体ができなくなったりするという問題があった。
【０００７】
そこで、本発明は、配線カバーが種々の方向に屈折して連設される場合においても、平型配線をより容易に配索することができる配線カバーを得ることを目的とする。
【課題を解決するための手段】
【０００８】
請求項１の発明にあっては、壁面上に固定されるベース部材と、当該ベース部材上に固定されるカバー部材と、を備え、ベース部材とカバー部材との間に配線の配索空間が形成される配線カバーを用いて平型配線を壁面に沿って配索してなる平型配線の壁面配索構造であって、上記ベース部材は、長手方向に延設される相互に平行な一対の側壁部を備え、上記配索空間は、平型配線を壁面と略平行な姿勢で収容する平行挿通部と、上記一対の側壁部によって挟まれる領域に形成され、配線カバーの幅方向中央部で平型配線の少なくとも一部を壁面と略垂直な姿勢で収容する垂直挿通部と、が略Ｔ字状断面をなすように接続されてなり、上記配索空間内で平型配線を捻り、配線カバーの長手方向一方側の端部では平型配線の少なくとも一部が壁面と略垂直な姿勢で上記垂直挿通部内に収容され、配線カバーの長手方向他方側の端部では平型配線が壁面と略平行な姿勢で上記平行挿通部内に収容されるようにしたことを特徴とする。
【０００９】
請求項２の発明にあっては、上記一対の側壁部に、上記垂直挿通部に収容された平型配線を挟み込んで係止する突条の係止部を設けたことを特徴とする。
【００１０】
請求項３の発明にあっては、上記カバー部材は、上記一対の側壁部の両外側に嵌合されて、当該一対の側壁部の突端部外側を間隙をもって被覆し、上記一対の側壁部の突端部と上記カバー部材の内面とで挟まれた領域を上記平行挿通部としたことを特徴とする。
【００１２】
請求項４の発明にあっては、上記配線カバーを用いて平型配線を壁面に沿って配索する平型配線の壁面配索方法であって、上記配索空間内で平型配線を捻り、配線カバーの長手方向一方側の端部では平型配線の少なくとも一部を壁面と略垂直な姿勢で上記垂直挿通部内に収容し、配線カバーの長手方向他方側の端部では平型配線を壁面と略平行な姿勢で上記平行挿通部内に収容するようにしたことを特徴とする。
【発明の効果】
【００１３】
請求項１の発明によれば、上記配索空間が平行挿通部と垂直挿通部とを備えるため、配線カバー内で、平型配線は、壁面と略平行な姿勢と、壁面と略垂直な姿勢との双方を取ることができる。
【００１４】
よって、配線カバーが壁面に沿って屈折状態で連設される場合には、平型配線を双方の配線カバー内で垂直挿通部に収容して壁面と略垂直な姿勢で配索することで、二つの配線カバー同士が連設される部分では、平型配線を幅広側に容易に曲げて円滑に配索することができる。
【００１５】
また、平行挿通部と垂直挿通部とが略Ｔ字状断面をなすように相互に接続されているため、配線カバー等のレイアウトの関係上、平型配線を配線カバーの長手方向両端部で相異なる方向に曲げなければならない場合にも、配索空間内で平型配線を捻ることで、当該平型配線の姿勢を長手方向両端部で相異ならせることができるため、いずれの端部でも平型配線を幅広側に容易に曲げて円滑に配索することができる。
また、上記配線カバーの内部に、平行挿通部と垂直挿通部とが略Ｔ字状断面をなすように接続されてなる配索空間が形成されているため、配線カバー等のレイアウトの関係上、平型配線を配線カバーの長手方向両端部で相異なる方向に曲げなければならない場合にも、配索空間内で平型配線を捻ることで、当該平型配線の姿勢を長手方向両端部で相異ならせることができるため、いずれの端部でも平型配線を幅広側に容易に曲げて円滑に配索することができる。
【００１６】
請求項２の発明によれば、上記係止部により、平型配線が配線カバー内で動いたり振動したりするのを抑制することができる。また、別途抜け止めを設ける必要がない分、より安価に構成することができる上、抜け止めを設置する手間が省けるという利点もある。
【００１７】
請求項３の発明によれば、上記ベース部材に設けた一対の側壁部にカバー部材を外嵌することができるため、ベース部材にカバー部材をより容易に固定することができる。また、平行挿通部と垂直挿通部とが略Ｔ字状断面をなすように接続された配索空間を比較的簡素な構成によって得ることができる。
【００１８】
請求項４の発明によれば、上記配線カバーの内部に、平行挿通部と垂直挿通部とが略Ｔ字状断面をなすように接続されてなる配索空間が形成されているため、配線カバー等のレイアウトの関係上、平型配線を配線カバーの長手方向両端部で相異なる方向に曲げなければならない場合にも、配索空間内で平型配線を捻ることで、当該平型配線の姿勢を長手方向両端部で相異ならせることができるため、いずれの端部でも平型配線を幅広側に容易に曲げて円滑に配索することができる。
【発明を実施するための最良の形態】
【００１９】
以下、本発明の実施形態について図面を参照しながら詳細に説明する。図１は、本実施形態にかかる配線カバーを用いた平型配線の壁面配索構造の一例を示す斜視図、図２は、、配線カバーおよび光ケーブルの分解斜視図、図３は、図１の各部の断面図であって、（ａ）はＡ−Ａ断面図、（ｂ）はＢ−Ｂ断面図、および（ｃ）はＣ−Ｃ断面図、図４は、図１のＤ−Ｄ断面図、図５は、図１の矢視Ｅにおける側面図である。なお、図７は、本実施形態で用いられる平型配線としての光ケーブルの断面図である。
【００２０】
本実施形態では、図１に示すように、光ファイバ１ａ（図７参照）を内蔵する光ケーブル１を壁穴２を挿通させて室外から室内に引き出し、引き出した光ケーブル１を室内壁面３上でまずは上方に向けて配索し、その上側端部で右方向に直角に屈折させて配索し、その光ケーブル１を、屈折状態で連設される二つの配線カバー４，４で被覆する場合について例示する。
【００２１】
本実施形態にかかる光ケーブル１は、図７に示すように、断面中央部に光ファイバ（心線）１ａを配し、その周囲を樹脂等からなるシース１ｂで被覆したものである。この光ケーブル１では、光ファイバ１ａを挟んで一対のテンションメンバ１ｃ，１ｃが対称に離間配置されており、シース１ｂは、テンションメンバ１ｃ，１ｃが並ぶ方向（図７のＹ方向）に長く光ファイバ１ａを中心とする点対称形状の略矩形断面を呈している。
【００２２】
そして、光ケーブル１の幅広の表面１ｄ，１ｄの幅方向中央部には、それぞれ溝部１ｅ，１ｅを形成し、シース１ｂを断面長手方向（図７のＹ方向）に引き裂きやすくしてある。シース１ｂを引き裂くことで、光ファイバ（心線）１ａを簡単に露出させることができる。
【００２３】
かかる構造の光ケーブル１は、その構造上、図７のＸ方向、すなわち幅広側に（すなわち幅広側の表面１ｄ，１ｄが反るように）曲げるのは比較的容易であるが、図７のＹ方向、すなわち幅狭側（すなわち幅狭側の表面１ｆ，１ｆが反るように）曲げるのは困難となる。なお、急激に（短距離区間で大きく）捻ることは、構造上および光ファイバ１ａの通信特性上も好ましくないが、シース１ｂの材質や形状等に応じて、また通信特性上許容される範囲内で、徐々に捻ることは可能である。
【００２４】
配線カバー４は、図２に示すように、室内壁面３上に接着やネジ止め等で固定されるベース部材４Ａと、当該ベース部材４Ａ上に固定されるカバー部材４Ｂとを備える。
【００２５】
ベース部材４Ａは、図３にも示すように、室内壁面３に沿う板状部４ａと、当該板状部４ａ上で間隙５Ａを空けて突設される一対の側壁部４ｂ，４ｂと、を備える。
【００２６】
一対の側壁部４ｂ，４ｂは、板状部４ａの幅方向両端縁よりやや内側の位置で略垂直方向に突設されており、配線カバー４の長手方向に沿って相互に平行に延設されている。各側壁部４ｂ，４ｂの幅方向外側の壁面の略中央部には溝部４ｃ，４ｃが形成されている。
【００２７】
これら側壁部４ｂ，４ｂによって挟まれる領域としての間隙５Ａは、図３の（ｂ）に示すように、光ケーブル１の少なくとも一部を室内壁面３と略垂直な姿勢で収容する垂直挿通部５Ａとなる。本実施形態では、垂直挿通部５Ａには、光ケーブル１の幅方向略半分が挿入され、残りの略半分は、後述する平行挿通部５Ｂ内に突出する。
【００２８】
また、これら側壁部４ｂ，４ｂの突端部には、垂直挿通部５Ａ側に突出する突条部４ｄ，４ｄを形成し、光ケーブル１が垂直挿通部５Ａに収容された状態で、これら突条部４ｄ，４ｄと光ケーブル１の溝部１ｅ，１ｅとを相互に係合させ、光ケーブル１がベース部材４Ａに安定的に保持されるようにしてある。すなわち、本実施形態では、この突条部４ｄ，４ｄが、光ケーブル１を係止する係止部に相当する。なお、この突条部４ｄ，４ｄは、垂直挿通部５Ａ内に円形断面のケーブルを挿通させる場合には、その係止部としても機能させることができる。
【００２９】
カバー部材４Ｂは、図２および図３に示すように、板状の天壁部４ｅの両端縁に一対の側壁部４ｆ，４ｆを立設して、断面略コ字状に形成したものである。このカバー部材４Ｂは、当該コ字状の開口側をベース部材４Ａ側に伏せて、一対の側壁部４ｆ，４ｆでベース部材４Ａの一対の側壁部４ｂ，４ｂを外側から挟み込むようにして、当該ベース部材４Ａに取り付けられる。
【００３０】
そして、側壁部４ｆ，４ｆの突端側には、それぞれ内側に張り出す突条部４ｇ，４ｇを形成し、これら突条部４ｇ，４ｇとベース部材４Ａの溝部４ｃ，４ｃとを相互に係合させ、カバー部材４Ｂがベース部材４Ａの一対の側壁部４ｂ，４ｂの両外側に外嵌されるようにしてある。かかる構成により、カバー部材４Ｂはベース部材４Ａにより確実に固定される。
【００３１】
配線カバー４の組み立てに関しては、まず、ベース部材４Ａを室内壁面３上に設置した後、このベース部材４Ａに対してカバー部材４Ｂを室内壁面３の上方から被せるようにして嵌着することが可能である。また、相互に係合する溝部４ｃ，４ｃおよび突条部４ｇ，４ｇとも、配線カバー４の長手方向に延設されているため、ベース部材４Ａを室内壁面３上に設置した後、その長手方向端部から、カバー部材４Ｂをスライドさせて取り付けることも可能である。なお、カバー部材４Ｂをベース部材４Ａに取り付けた状態では、カバー部材４Ｂの側外面４ｈとベース部材４Ａの幅方向の端面４ｉとが段差無くスムーズに繋がるようにして、美観の向上を図っている。
【００３２】
本実施形態では、こうしてベース部材４Ａにカバー部材４Ｂを固定した状態で、側壁部４ｂ，４ｂの突端部の端面４ｊ，４ｊと、カバー部材４Ｂの内面４ｋとの間に、間隙５Ｂが形成されるようになっている。この間隙５Ｂが、図３の（ａ）に示すように、光ケーブル１を室内壁面３と略平行な姿勢で収容する平行挿通部５Ｂとなる。
【００３３】
この平行挿通部５Ｂの断面は、室内壁面３に沿う方向に長くかつ室内壁面３と垂直な方向に短くし、収容した光ケーブル１に対して適宜な隙間が形成される大きさとしている。ちなみに、図３（ａ）のように、平行挿通部５Ｂに光ケーブル１が配索された状態では、幅広側に撓んだ光ケーブル１が側壁部４ｂ，４ｂの突端部の端面４ｊ，４ｊあるいはカバー部材４Ｂの内面４ｋに当接し、当該当接部の摩擦によって、光ケーブル１の移動や振動が抑制されるようになっている。
【００３４】
以上のようにして、ベース部材４Ａとカバー部材４Ｂとを組み立ててなる配線カバー４の内部に、平行挿通部５Ｂと垂直挿通部５Ａとが略Ｔ字状に接続された配索空間５が形成される。一例として、約４ｍｍ×２ｍｍの矩形断面を有する光ケーブル１については、平行挿通部５Ｂの断面を５ｍｍ（幅）×２．５ｍｍ（高さ）、垂直挿通部５Ａの断面を２．５ｍｍ（幅）×２ｍｍ（深さ）とすることができ、その場合、配線カバー４外形を、７ｍｍ（幅）×６．５ｍｍ（高さ）とすることができる。
【００３５】
光ケーブル１は、カバー部材４Ｂが未装着のベース部材４Ａに対して係着させて（すなわち、上述したようにベース部材４Ａの突条部４ｄ，４ｄと光ケーブル１の溝部１ｅ，１ｅとを相互に係合させて）もよいし、ベース部材４Ａとカバー部材４Ｂとを組み立てることで形成された略Ｔ字状断面を呈する配索空間５に対してその開口端部からスライドさせて挿入するようにしてもよい。
【００３６】
そして、本実施形態では、上述したように配索空間５において平行挿通部５Ｂと垂直挿通部５Ａとを接続したことで、一つの配線カバー４の配索空間５内で光ケーブル１を捻り、配線カバー４の長手方向一方側（本実施形態では図１の下側）の端部では光ケーブル１を室内壁面３と略平行な姿勢で平行挿通部５Ｂ内に導入する一方（図３の（ａ）の状態）、配線カバー４の長手方向他方側（本実施形態では図１の上側）の端部では光ケーブル１の幅方向略半分を室内壁面３と略垂直な姿勢で垂直挿通部５Ａ内に挿通させることができる（図３の（ｂ）の状態）。すなわち、配線カバー４の下側（図３の（ａ）の状態）から上側（図３の（ｂ）の状態）にかけて光ケーブル１が徐々に捻られて、配線カバー４の長手方向の中間部では、図３の（ｃ）に示すように、光ケーブル１が室内壁面３に対して斜めに傾斜した姿勢となり、垂直挿通部５Ａと平行挿通部５Ｂとの双方に跨って挿入された状態となる。
【００３７】
このように一つの配線カバー４の配索空間５内で光ケーブル１を捻ることで、当該配線カバー４の長手方向両端部で、光ケーブル１を容易に幅広側に曲げることができる。
【００３８】
すなわち、図４に示すように、壁穴２から室内側に引き出された光ケーブル１を、壁穴カバー９内で幅広側（すなわち幅広側の表面１ｄ，１ｄが反るように）に曲げて、平行挿通部５Ｂに円滑に導入することができるとともに、図５に示すように、垂直挿通部５Ａに収容される光ケーブル１を、コーナーカバー６の配索空間６ａ内でも同じく幅広側に曲げながら、当該コーナーカバー６に連設される別の配線カバー４の垂直挿通部５Ａに円滑に導入することができる。
【００３９】
なお、図示しないが、配線カバー４の長手方向両端部で光ケーブル１をいずれも同じ向き（室内壁面３に沿う方向か、あるいは室内壁面３と垂直な方向）に曲げる場合には、光ケーブル１を配索空間５内で捻る必要はなく、垂直挿通部５Ａおよび平行挿通部５Ｂのうちいずれか一方に略一定姿勢で収容すれば良い。
【００４０】
以上の本実施形態によれば、配索空間５が平行挿通部５Ｂと垂直挿通部５Ａとを備えるため、配線カバー４内で、光ケーブル１は、室内壁面３と略平行な姿勢と、室内壁面３と略垂直な姿勢との双方を取ることができる。
【００４１】
よって、配線カバー４が室内壁面３に沿って屈折状態で連設される場合には、光ケーブル１を連設される双方の配線カバー４，４内で室内壁面３と略垂直な姿勢で配索することで、二つの配線カバー４同士が連設される部分では、光ケーブル１を幅広側に曲げて容易に配索することができる。
【００４２】
また、平行挿通部５Ｂと垂直挿通部５Ａとが略Ｔ字状断面をなすように相互に接続されているため、配線カバー４等のレイアウトの関係上、光ケーブル１を配線カバー４の長手方向両端部で相異なる方向に曲げなければならない場合にも、配索空間５内で光ケーブル１を捻ることで、当該光ケーブル１の姿勢を長手方向両端部で相異ならせることができるため、いずれの端部でも光ケーブル１を幅広側に容易に曲げて、円滑な屈曲状態を得ることができる。
【００４３】
また本実施形態によれば、室内壁面３に平行な姿勢あるいは垂直な姿勢で光ケーブル１を略保持しながら収容すべく略Ｔ字状の断面を呈する配索空間５を形成するとともに、さらに係止部としてベース部材４Ａに突条部４ｄ，４ｄを設けたため、光ケーブル１が配線カバー４内で動いたり振動したりするのを抑制することができる。また、係止部としての突条部４ｄ，４ｄを設けたことで、別途抜け止めを設ける必要がない分、より安価に構成することができる上、抜け止めを設置する手間が省けるという利点もある。
【００４４】
また本実施形態によれば、ベース部材４Ａに設けた一対の側壁部４ｂ，４ｂにカバー部材４Ｂを外嵌することができるため、ベース部材４Ａにカバー部材４Ｂをより容易に固定することができる。また、平行挿通部５Ｂと垂直挿通部５Ａとが略Ｔ字状断面をなすように接続された配索空間５を比較的簡素な構成によって得ることができる。
【００４５】
以上、本発明の好適な実施形態について説明したが、本発明は上記実施形態に限定されるものではなく、種々に変形することができる。
【００４６】
例えば、図６に示すように、配線カバー７のベース部材７Ａに、略Ｔ字状断面を呈する溝として平行挿通部８Ｂと垂直挿通部８Ａとからなる配索空間８を形成し、当該溝状部分を蓋するようにカバー部材７Ｂを設けてもよい。なお、この例では、平行挿通部８Ｂが垂直挿通部８Ａより室内壁面３側に配置されることになる。
【００４７】
また、上記実施形態では、平型配線として光ケーブルを配索する場合を例示したが、本発明は、電線ケーブルやその他の配線を配索する配線カバーとしても実施可能であるし、室外壁面に配索する場合にも適用可能であるし、平型配線以外の配線（例えば円形断面の配線等）を配索可能であることはもちろんである。ちなみに、光ケーブル用の配線カバーは、電線ケーブル用に比べて非常に小型になる。
【００４８】
また、さらにコーナーカバーの配索空間内で平型配線を捻るようにすれば、例えばレイアウト上、配線カバーの長手方向の距離をさほど長くとることができず、配線カバーの配索空間内だけでは十分に捻ることができないような場合に有効である。
【図面の簡単な説明】
【００４９】
【図１】本発明の実施形態にかかる配線カバーを用いた平型配線の壁面配索構造の一例を示す斜視図。
【図２】本発明の実施形態にかかる配線カバーおよび光ケーブルの分解斜視図。
【図３】図１の各部の断面図であって、（ａ）はＡ−Ａ断面図、（ｂ）はＢ−Ｂ断面図、および（ｃ）はＣ−Ｃ断面図。
【図４】図１のＤ−Ｄ断面図。
【図５】図１の矢視Ｅにおける側面図。
【図６】本発明の別の実施形態にかかる配線カバーの断面図。
【図７】平型配線としての光ケーブルの断面図。
【符号の説明】
【００５０】
１  光ケーブル（平型配線）
３  室内壁面（壁面）
４，７  配線カバー
４Ａ，７Ａ  ベース部材
４Ｂ，７Ｂ  カバー部材
５，８  配索空間
５Ａ，８Ａ  垂直挿通部
５Ｂ，８Ｂ  平行挿通部
４ｂ  側壁部
４ｄ  突条部（係止部）
４ｉ  端面（突端）
４ｋ  内面
【図１】
0004592597.tif 000002
【図２】
0004592597.tif 000003
【図３】
0004592597.tif 000004
【図４】
0004592597.tif 000005
【図５】
0004592597.tif 000006
【図６】
0004592597.tif 000007
【図７】
0004592597.tif 000008